(57)【要約】      （修正有）【課題】暗がりで足元の障害物や段差の見落しに起因する転倒、転落事故を防止し、安価に簡単に光る杖に改造できる照明具を提供する。【解決手段】普通の杖に後加工して光る杖にできる照明具であって、光源２Ｌを杖先に設けて光源の光を有効活用するもので、シャフトＴＳに固定する固定部１と、固定部に嵌合する筐体３内に設けた電源スイッチ５Ｄと感圧スイッチを備えた発光部２とによって光源を点灯、消灯して電池４の消耗を減らす。【選択図】図２−１
0003191320.tif 000002
【実用新案登録請求の範囲】
【請求項１】
杖のシャフト先端に嵌合する筐体からなる杖用照明具であって、
筐体は本体（３）とシャフトに固定したＬ字条凸部（１Ｌ）を有する固定部（１）と、
その筐体の上端で前記固定部（１）の表面近傍まで内方に突出する上部Ｌ字条凸部（３Ｌa）と、下方端部を封鎖する、表面中央部にゴム足（Ｇ）を有する発光部（２）と、固定部（１）の前記Ｌ字状凸部（１Ｌ）と、本体（３）の杖のシャフト表面まで内方に突出する下部Ｌ字状凸部（３Ｌb）との間に配置されるバネ（３Ｂ）と、
杖のゴム足（Ｇ）が非接地、接地することにより前記バネ（３Ｂ）が伸張、圧縮しスイッチ端子（５Ｋa、５Ｋb）が接触、非接触となる感圧スイッチ（５Ｋ）と、電池ケース（４）と、電池ケース（４）内の電池とステップアップ回路（６）と感圧スイッチ（５Ｋ）を介して電気的に接続され、発光部（２）内に格納されるＬＥＤ光源（２Ｌ）とからなることを特徴とする杖用照明具。
【請求項２】
常時ＯＮとなる電源スイッチ（５Ｄ）を有していることを特徴とする請求項１記載の杖用照明具。
【請求項３】
常灯のＬＥＤ光源（２Ｌｂ）を有することを特徴とする請求項１又は２に記載の杖用照明具。
【請求項４】
請求項１〜３に記載した杖用照明具を有する杖。
【考案の詳細な説明】
【技術分野】
【０００１】
本考案は、杖用照明具に関する。
【背景技術】
【０００２】
従来より杖使用者が被る例が多いと言われる、暗がりで足元の障害物や段差の見落しに起因する転倒、転落する事故の予防策として、杖使用者の存在確認と足元照明となる発光機能を備えた光る杖や転倒時の音声表示機を備えた杖（実公平７−９７８）等が作られている。
上記光る杖は、ハンドル部から前方を照射する物、あるいは杖シャフトの下方が発光する物（特開２００２−２６２９１３）等があるが、前者はハンドル部に設けた光源と照射位置が離れているため照度不足で見難い等の問題があり、後者もシャフト中心の３６０度の照明となるため杖の突き先位置確認用の照明としては不満があると言われている。
すなわち、杖の突き先の安全確認を主な用途とすれば、杖を突くのに必要な前方の比較
的狭い範囲を明るく照らす事ができる省電力型の安価なものが求められている事に成る。
【０００３】
従来の光る杖は予め光る杖として設計、商品化されているため高価な物であって、老人用のステッキやウォーキング用のストック等多品種の杖に後加工して光る杖化できる杖用の照明具、例えば使用中の杖のすり減った杖先のゴムを取替える程度の簡単な改造で光る杖に出来るような経済的で便利な杖用の照明具が求められていた。  
【先行技術文献】
【特許文献】
【０００４】
【特許文献１】特開２０１０−０６３８６８
【特許文献２】特開２００２−２６２９１３
【特許文献２】実公平７−９７８
【考案の概要】
【考案が解決しようとする課題】
【０００５】
本考案は、低価格で簡単に装着できる物で、杖の付き先の状態を目視、確認し易い省電力で明るい杖先照明の開発を課題とする。
【課題を解決するための手段】
【０００６】
上記課題を解決するため本考案は、杖先に設けられている所謂替えゴム部に、発光素子と電池とステップアップ回路と電源スイッチとを備えた電池ボックスを有する照明具を後加工で取り付けて杖の突き先方向を照らす照明具であって、電源スイッチＯＮで杖先が接地している時はＯＦＦ、杖先が地面を離れたらＯＮとなる自動スイッチ機能（以下、これを感圧スイッチという。）を備えて前記ＯＦＦの時間分省電力化した光源を有する照明具、あるいは上記省電力化した光源と電源スイッチのＯＮ、ＯＦＦで点灯、消灯する光源を共用して必要時、必要場所を必要な照度で効果的に照らすもので、普通の杖を後加工で光る杖化できる安価な照明具を提供する。
【０００７】
杖用照明具は防水型が好ましい。
発光部および本体は単一素材で形成するのが好ましいが、複数素材を組合せてもよい。
照明具本体は、樹脂材やゴム材が好ましいが他の素材を用いてもよい。
本体は、分割可能な構造が好ましいが一体形でもよい。  
【０００８】
照明具は、電源スイッチ付きが好ましいが電源スイッチを設けなくてもよい。
感圧スイッチは、機械式が好ましいがリードスイッチ等を用いてもよい。
照明具は、電池交換可能型が好ましいが交換が出来なくてもよい。
電池は、一次電池が好ましいが、二次電池を用いてもよい。
光源は、LEDが好ましいが他の物でもよい。
光源は、単体で使用するのが好ましいが複数用いてもよい。
発光回路にはステップアップ回路を用いるのが好ましいが用いなくてもよい。
光源には反射鏡あるいは導光体を使うのが好ましいが、使わなくてもよい。
【考案の効果】
【０００９】
本考案の照明具は、発光機能のない杖を簡単な改造で光る杖化して、必要場所を必要な明るさで照らして前方や杖突き場所の安全確認をするもので、本改造により夜間や雨中における不適当な場所への杖突きに起因する事故の予防効果を有する。
【図面の簡単な説明】
【００１０】
【図１】実施例１、杖用照明具１００の斜視図
【図２−１】図１u−u’の感圧スイッチＯＦＦ状態の断面図
【図２−２】図１u−u’の感圧スイッチＯＮ状態の断面図
【図３】照明具１００の回路図
【図４】実施例２、杖用照明具２００の斜視図
【図５−１】図４v−v’の感圧スイッチＯＦＦ状態の断面図
【図５−２】図４v−v’の感圧スイッチＯＮ状態の断面図
【図６】照明具２００の回路図
【考案を実施するための形態】
【００１１】
以下、図面を使って説明する。
図１は杖用照明具１００の斜視図、図２―１は図１u−u´の感圧スイッチＯＦＦ状態の断面図、図２―２は図１u−u´の感圧スイッチＯＮ状態の断面図、図３は杖用照明具１００の回路図である。
実施例１は、L字状凸部１Lを有する固定部１、発光部２、上部L字状凸部３Laと下部L字状凸部３Lbを有する本体３、バネ３Ｂと、LED光源２Lと反射鏡２Ｍとステップアップ回路６を備えて電池を格納した電池ケース４および電源スイッチ５Ｄと感圧スイッチ５Ｋとゴム足Ｇとガード板ＴＳＳにより概略構成する。
【００１２】
照明具１００は、シャフトＴＳに固定した前記固定部１、および該固定部１に嵌合する前記本体３と、該本体３に螺合した発光部２からなる筐体が杖シャフトＴＳの上下動とバネ３Ｂの伸張、圧縮によって感圧スイッチ５ＫをＯＮ、ＯＦＦする。
すなわち、電源スイッチ５ＤがＯＮで杖を突いた状態、すなわちゴム足Ｇが接地している状態（以下、これを接地という。）であれば発光部２の上方に設けた円板型の感圧スイッチの端子５Ｋaとシャフト先端部に固定した感圧スイッチの端子５Ｋbが離れた状態でＯＦＦとなりＬＥＤ光源２Ｌは点灯しない。（図２−１）
また、ゴム足Ｇが地上から浮いた状態になると（以下、これを非接地という。）固定部１がバネ力で動作空間１Ｓ内を上方に移動した形、すなわち本体３と該本体３に螺合した発光部２が下方移動した形となり発光部２の上方に設けた円板型の感圧スイッチの端子５Ｋaとシャフト先端部に固定した感圧スイッチの端子５Ｋbが接合してＯＮとなりＬＥＤ光源２Ｌが点灯する。（図２−２）  
【００１３】
なお、ＬＥＤ光源２Ｌと反射鏡２Ｍとステップアップ回路６を備えた電池ケース４は、該反射鏡２Ｍの延長部でガード板ＴＳＳに固定されているのでシャフトＴＳの上下動にによってＬＥＤ光源２Ｌと発光部２の距離が変わる事はない。
ガード板ＴＳＳは杖突き時発光部２に掛かる圧力を分散、緩和するものである。
さらに電池ケース４は、ステップアップ回路６を備えて電池の消耗による電圧降下に伴う光源輝度の低下対策と安定輝度の持続化が図られている。（図３）
また発光部２は、杖先方向を主に照らすものなので杖の振り方によって、杖先が前方に振上げられれば前方を広く適度の明るさで照らし、近づくに従って地面を明るく照らすもので、少ない消費電力で光源の光を有効に活用する効率の良い照明を目的としたものである。
【００１４】
前記照明具１００を備えて光る杖化した杖は電源スイッチ５ＤがＯＮ状態で、前記接地時は感圧スイッチ５ＫがＯＦＦでＬＥＤ光源２Ｌを消灯して電池の消耗を減らし、非接地時、すなわち次に杖を突くまでの間は感圧スイッチ５ＫがＯＮになりＬＥＤ光源２Ｌを点灯して前方を明るく照らして前記事故を予防する。
また、杖付き動作は概して半々または４：６以上で接地時間、すなわち必ずしも照明を必要としない接地時間の方が長いので、感圧スイッチ５Ｋによって照明が必要な非接地時間だけ前記ＬＥＤ光源２Ｌを点灯（以下、これを必要時点灯という。）することにより電池を長持ちさせると共に、杖先に設けた光源が前方を効果的に明るく照らして前記事故を予防する。
【００１５】
さらに、前記光る杖化した杖は、例えば杖を使う人が散歩の途中で休憩する時等には杖を接地状態にしておけば自重で前記接地時ＯＦＦとなりＬＥＤ光源２Ｌは消灯するので、電池の無駄使いを防ぐためにその都度電源スイッチをＯＮ、ＯＦＦする必要がない。
また前記光る杖化した杖は、使用後の電源スイッチのＯＦＦを忘れても傘立てやステッキ立てに接地状態で立てて置けば自重で感圧スイッチがＯＦＦと成り消灯するので電池の無駄使いを防ぐ事ができる。
【００１６】
図４は杖用照明具２００の斜視図、図５―１は図４v−v´の感圧スイッチ１５ＫがＯＦＦ状態の断面図、図５―２は図１v−v´の感圧スイッチ１５KがＯＮ状態の断面図、図６は照明具２００の回路図である。
実施例２は、シャフトＴＳ、固定部１、発光部２、本体３、バネ３Ｂと、ＬＥＤ光源２Ｌ、１２Ｌbと反射鏡２Ｍとステップアップ回路６を備えて電池を格納した電池ケース４および電源スイッチ５Ｄとリードスイッチを用いた感圧スイッチ１５Ｋとゴム足Ｇとガード板ＴＳＳにより概略構成する。
【００１７】
照明具２００は、感圧スイッチ１５Ｋとして用いた非接触で移動するリードスイッチ１５Ｋa,１５Ｋｂと、杖接地時無灯火となる事による不安の解消策として電源スイッチ５ＤのＯＮで点灯してからＯＦＦで消灯するまで点灯する（以下、これを常灯、あるいは常時ＯＮという。）前記感圧スイッチを介さないＬＥＤ光源１２Ｌbを設けた事以外は、前記実施例１００と同様なので重複部分の説明を省略すると共に重複部位の符号は共用する。
照明具２００は、前記接地、非接地に関わりなく電源スイッチ５ＤをＯＮにすると前記常灯のＬＥＤ光源１２Ｌbが点灯して前方と周囲を適度の明るさで照らし、さらに前記接地状態ではシャフトＴＳ先端部に設けた磁石１５Ｋｂがリードスイッチ１５ＫａのＯＦＦ領域に位置してＬＥＤ光源１２Ｌｂは点灯しない。（図５−１）
【００１８】
また、非接地状態に成ると前記バネ３Ｂの伸長によってシャフトＴＳ先端部に設けた磁石１５Ｋbが前記リードスイッチ１５ＫaのＯＮ領域に移動してリードスイッチ１５ＫaがＯＮとなりＬＥＤ光源２Ｌbが点灯して、前記ＬＥＤ光源２Ｌの光にＬＥＤ光源２Ｌbの光を加えた明るさで前方を明るく、周囲を適度の明るさで照らして前記事故を予防する。（図５−２）
前記杖用照明具１００及び２００は、前記替えゴムの交換をする程度の簡単な改造、いわばゴム足代わりに使うとも言える改造によって発光機能のない普通の杖を前記光る杖化できるので便利で経済的なものである。
【００１９】
前記照明具１００及び２００は、光る杖として初めからシャフトに固定して完成型の光る杖にする事ができる。
なおこの場合、本考案は光源位置以外の変更、例えば電池や電源スイッチを杖のハンドル部に移す事、および二次電池を用いて繰り返し充電を可能にすること等使用部材の変更や部材の取り付け位置の変更を妨げない。
【産業上の利用可能性】
【００２０】
本考案は、本照明具を普通の杖に簡単な後加工で光る杖化して、杖先を明るく照らすことにより、杖の突き位置の安全を確認して前記事故の予防に供するものである。
【符号の説明】
【００２１】
１００・・・実施例１の照明具
２００・・・実施例２の照明具
ＴＳ・・・杖のシャフト
ＴＳＳ・・ガード板
Ｇ・・・・ゴム足
１・・・実施例１の固定部
１Ｓ・・・動作空間
１Ｌ・・・固定部のＬ字状凸部
２・・・・発光部
２Ｌ・・・ＬＥＤ光源
２Ｍ・・・反射鏡
３・・・・本体
３Ｂ・・・バネ
３Ｌa・・本体の上部Ｌ字状凸部
３Ｌb・・本体の下部Ｌ字状凸部
４・・・・電池ケース
５・・・・電源スイッチ
５Ｋ・・・感圧スイッチの総称
５Ｋａ・・感圧スイッチのａ端子
５Ｋb・・感圧スイッチのb端子
６・・・ステップアップ回路
１２Ｌb・・・ＬＥＤ光源b(照明具２００)
１５Ｋ・・・感圧スイッチの総称
１５Ｋa・・・リードスイッチ
１５Ｋb・・・磁石
【図１】
0003191320.tif 000003
【図２−１】
0003191320.tif 000004
【図２−２】
0003191320.tif 000005
【図３】
0003191320.tif 000006
【図４】
0003191320.tif 000007
【図５−１】
0003191320.tif 000008
【図５−２】
0003191320.tif 000009
【図６】
0003191320.tif 000010
【手続補正書】
【提出日】平成26年4月7日(2014.4.7)
【手続補正１】
【補正対象書類名】実用新案登録請求の範囲
【補正対象項目名】全文
【補正方法】変更
【補正の内容】
【実用新案登録請求の範囲】
【請求項１】
杖のシャフト先端に嵌合する筐体からなる杖用照明具であって、
筐体は本体（３）とシャフトに固定したＬ字状凸部（１Ｌ）を有する固定部（１）と、
その筐体の上端で前記固定部（１）の表面近傍まで内方に突出する上部Ｌ字状部（３Ｌa）と、下方端部を封鎖する、表面中央部にゴム足（Ｇ）を有する発光部（２）と、固定部（１）の前記Ｌ字状凸部（１Ｌ）と、本体（３）の杖のシャフト表面まで内方に突出する下部Ｌ字状凸部（３Ｌb）との間に配置されるバネ（３Ｂ）と、
杖のゴム足（Ｇ）が非接地、接地することにより前記バネ（３Ｂ）が伸張、圧縮しスイッチ端子（５Ｋa、５Ｋb）が接触、非接触となる感圧スイッチ（５Ｋ）と、電池ケース（４）と、電池ケース（４）内の電池とステップアップ回路（６）と感圧スイッチ（５Ｋ）を介して電気的に接続され、発光部（２）内に格納されるＬＥＤ光源（２Ｌ）とからなることを特徴とする杖用照明具。
【請求項２】
常時ＯＮとなる電源スイッチ（５Ｄ）を有していることを特徴とする請求項１記載の杖用照明具。
【請求項３】
常灯のＬＥＤ光源（１２Ｌｂ）を有することを特徴とする請求項１又は２に記載の杖用照明具。
【請求項４】
請求項１〜３のいずれか一項に記載の杖用照明具を有する杖。